(57)【特許請求の範囲】
【請求項１】
被洗浄物をセットする食器かごと、開口部を有し前記食器かごを収納する洗浄槽と、前記食器かごを前記開口部から摺動自在に支持する一対の滑走部と、前記洗浄槽の下部に設けられ洗浄水を貯水する洗浄貯水部と、を備え、前記一対の滑走部は、前記洗浄槽側壁から前記洗浄槽内側に下がり傾斜する傾斜面と、前記傾斜面の下部に上方に突出させて設けたリブとを有し、少なくとも１箇所リブが存在しない領域が設けられ、前記リブは、前記洗浄貯水部の上方においては連続して設けられている食器洗い機。
【請求項２】
一対の滑走部を洗浄槽の相対する側壁にそれぞれ設け、かつ、被洗浄物に洗浄水を噴射する洗浄ノズルを前記一対の滑走部より下方の前記洗浄槽内に設け、前記洗浄ノズルは、常時もしくは一時的に、前記食器かごの外枠よりも前記洗浄槽の側壁側に存在するよう構成するとともに、前記一対の滑走部の少なくとも一方を前記洗浄ノズルからの洗浄水の噴射を避けるための切り欠き部を有する形状とした請求項１に記載の食器洗い機。
【請求項３】
洗浄ノズル配置位置の洗浄槽の相対する側壁間の幅を滑走部配置位置の洗浄槽の相対する側壁間の幅より大きくした請求項２に記載の食器洗い機。
【請求項４】
滑走部は、食器かご底面と略同一面に存在するよう構成した請求項１〜３のいずれか１項に記載の食器洗い機。
【請求項５】
洗浄槽の側壁部を樹脂で形成し、滑走部を前記洗浄槽の側壁部に一体形成した請求項１〜４のいずれか１項に記載の食器洗い機。
【発明の詳細な説明】
【技術分野】
【０００１】
本発明は、食器等を洗浄する食器洗い機に関するもので、特に食器かごの支持構成に関するものである。
【背景技術】
【０００２】
従来のこの種の食器洗い機は、図６〜９に示すように構成されている（例えば、特許文献１参照）。
【０００３】
以下、その構成について説明する。食器洗い機は、食器１０１等の被洗浄物を洗浄槽１０２に収納し、洗浄槽１０２に設けた前面開口部１０３を、扉体１０４により閉塞してから、洗浄ポンプ１０５を運転し、洗浄水を噴射することにより、被洗浄物の洗浄、すすぎおよび乾燥工程を行うようになっている。扉体１０４は、前面開口部１０３の前下方に、その内面が上向き略水平となる位置まで回動開閉する構成となっている。
【０００４】
被洗浄物をセットする食器かご１０６には、側面前部に前部摺動部材１０７と側面後部に後部摺動部材１０８がそれぞれ左右一対設けられている。前部摺動部材１０７は、開成状態の扉体１０４内面を前後方向に滑走する扉体滑走部１０７ａと、食器かご１０６が洗浄槽１０２に収納された状態で洗浄槽１０２側面に左右一対設けられた凸部１０９を上下から挟み込む凸部保持部１０７ｂで構成されている。
【０００５】
また、後部摺動部材１０８は凸部１０９上面を前後方向に滑走する構成となっている。なお、凸部１０９の上面は、被洗浄物をセットした食器かご１０６の荷重を保持できるよう略水平な面となっている。上記構成により、食器１０１をセットする際に食器かご１０６を扉体１０４の内面に引き出すことが可能となっている。
【０００６】
他の食器洗い機として図１０に示すような食器かご支持構成を有するものもある。このものは、洗浄槽を洗浄槽下部１１０ａと、洗浄槽上部１１０ｂとで構成し、食器かご１１１を滑走させる洗浄槽滑走部１１２を洗浄槽下部１１０ａに設けている。その他の構成は上記従来の食器洗い機と同様である。
【０００７】
また、他の食器洗い機として図１１に示すような食器かご支持構成を有するものもある。このものは、洗浄槽を樹脂で形成した洗浄槽下部１１３ａと、板金で形成した洗浄槽上部１１３ｂとで構成し、食器かご１１４を滑走させる洗浄槽滑走部１１５を洗浄槽上部１１３ｂに一体で形成したものである。その他の構成は上記従来の食器洗い機と同様である。
【特許文献１】特開２００２−３０１００６号公報
【発明の開示】
【発明が解決しようとする課題】
【０００８】
しかしながら、上記従来の食器洗い機では、凸部１０９上面に洗浄水が滞留しやすいため、洗浄工程で食器１０１から洗い落とした汚物が凸部１０９上面に残留し、すすぎ工程で前記汚物が食器１０１に再付着したり、食器かご１０６の出し入れ時の摺動操作性を阻害するという課題を有している。また、すすぎ工程終了後に凸部１０９上面にすすぎ水が残留し、乾燥工程時に前記残留水を蒸発させるためにエネルギーが使われるため、食器１０１の乾燥仕上がりを悪化させるという課題を有している。
【０００９】
また、前部摺動部材１０７と後部摺動部材１０８は食器かご１０６の側面に設けられ、しかも凸部１０９の上面と下面に対してのみ保持されているだけなので、食器かご１０６に下方へ大きな力が加わり撓みが発生した時に、前部摺動部材１０７と後部摺動部材１０
８のそれぞれの左右部材間のピッチが小さくなり、凸部１０９から脱落するという課題を有している。
【００１０】
また、図１０あるいは図１１に示すような食器かご支持構成を有する従来の食器洗い機においても、洗浄槽滑走部１１２、１１５において同様の課題を有していた。
【００１１】
本発明は、上記従来の課題を解決するもので、洗浄槽の食器かご支持部への洗浄水及びすすぎ水の残留を軽減することで洗浄性能、乾燥性能および食器かごの操作性を向上し、且つ、食器かごに大きな荷重が加えられても脱落し難い安全性の高い食器洗い機を提供することを目的とする。
【課題を解決するための手段】
【００１２】
前記従来の課題を解決するために、本発明の食器洗い機は、被洗浄物をセットする食器かごと、開口部を有し前記食器かごを収納する洗浄槽と、前記食器かごを前記開口部から摺動自在に支持する一対の滑走部と、前記洗浄槽の下部に設けられ洗浄水を貯水する洗浄貯水部と、を備え、前記一対の滑走部は、前記洗浄槽側壁から前記洗浄槽内側に下がり傾斜する傾斜面と、前記傾斜面の下部に上方に突出させて設けたリブとを有し、少なくとも１箇所リブが存在しない領域が設けられ、前記リブは、前記洗浄貯水部の上方においては連続して設けられているものであり、滑走部を傾斜面にすることで汚物及びすすぎ水の残留が少なくなり洗浄性能、乾燥性能および食器かごの操作性を向上させることが可能となる。また、傾斜面に上方に突出させて設けたリブが食器かごの脱落を防止する役割を果たすので、食器かごに大きな荷重が加えられても脱落することのない安全性の高い食器洗い機を実現できる。
【発明の効果】
【００１３】
本発明の食器洗い機は、洗浄性能、乾燥性能、食器かごの操作性及び静音性に優れ、且つ安全性の高い食器洗い機を提供することができる。
【発明を実施するための最良の形態】
【００１４】
第１の発明は、被洗浄物をセットする食器かごと、開口部を有し前記食器かごを収納する洗浄槽と、前記食器かごを前記開口部から摺動自在に支持する一対の滑走部と、前記洗浄槽の下部に設けられ洗浄水を貯水する洗浄貯水部と、を備え、前記一対の滑走部は、前記洗浄槽側壁から前記洗浄槽内側に下がり傾斜する傾斜面と、前記傾斜面の下部に上方に突出させて設けたリブとを有し、少なくとも１箇所リブが存在しない領域が設けられ、前記リブは、前記洗浄貯水部の上方においては連続して設けられているもので、滑走部を傾斜面にすることで汚物及びすすぎ水の残留が少なくなり洗浄性能、乾燥性能および食器かごの操作性を向上させることが可能となる。また、傾斜面に設けたリブが食器かごの脱落を防止するストッパーの役割を果たすので、食器かごに大きな荷重が加えられても脱落することのない安全性の高い食器洗い機を実現できる。また、リブの根元の残水も、リブの存在しない箇所から洗浄槽内へ流すことが可能となり、傾斜面への残留汚物及びすすぎ水をよりいっそう軽減できるので、洗浄性能、乾燥性能および食器かごの操作性をさらに向上させることが可能となる。また、洗浄水及びすすぎ水が滑走部から洗浄槽貯水部へ滴下することを防止できるので、運転中の水の滴下音が発生し難い静音性に優れた食器洗い機を実現できる。
【００１５】
第２の発明は、特に、第１の発明のいずれかにおいて、一対の滑走部を洗浄槽の相対する側壁にそれぞれ設け、かつ、被洗浄物に洗浄水を噴射する洗浄ノズルを前記一対の滑走部より下方の前記洗浄槽内に設け、前記洗浄ノズルは、常時もしくは一時的に、前記食器かごの外枠よりも前記洗浄槽の側壁側に存在するよう構成するとともに、前記一対の滑走部の少なくとも一方を前記洗浄ノズルからの洗浄水の噴射を避けるための切り欠き部を有
する形状としたもので、洗浄水の噴射領域が食器かご底平面を幅広くカバーすることが可能となり、洗浄性能の優れた食器洗い機を実現できる。
【００１６】
第３の発明は、特に、第２の発明において、洗浄ノズル配置位置の洗浄槽の相対する側壁間の幅を滑走部配置位置の洗浄槽の相対する側壁間の幅より大きくしたもので、洗浄水の噴射領域をさらに広げることが可能となり、食器かごのコーナー部に至るまで確実に洗浄水を噴射できるので、洗浄性能をよりいっそう向上させることができる。
【００１７】
第４の発明は、特に、第１から第３の発明のいずれかにおいて、滑走部は、食器かご底面と略同一面に存在するよう構成したもので、食器かごの側壁の倒れ、ソリ、荷重を加えられたときの撓み等の影響に対して、食器かご側面に滑走部を設けた場合と比べて、食器かごの左右滑走部間ピッチが変化しにくく、食器かごと滑走部の位置関係が安定するので、よりスムーズで安定した食器かごの滑走動作を実現できる。
【００１８】
第５の発明は、特に、第１から第４の発明のいずれかにおいて、洗浄槽の側壁部を樹脂で形成し、滑走部を前記洗浄槽の側壁部に一体形成したもので、樹脂で形成することで滑走部を板金の絞り加工等で形成する場合と比較してコンパクトにすることができ、且つ洗浄側壁部と一体化することで、さらにコンパクトにすることができるので、洗浄槽貯水部から食器かごまでの高さを必要最小限で構成することが可能となり、洗浄槽の食器収納空間の広い使い勝手の良い食器洗い機を実現できる。
【００１９】
（実施の形態１）
図１は本発明の実施の形態１における食器洗い機の扉体開成時の斜視図、図２は同食器洗い機の正面断面図、図３は同食器洗い機の扉体開成時の平面断面図、図４は図３におけるａ部の拡大図、図５（ａ）は図４におけるｂ−ｂ断面図、図５（ｂ）は図４におけるｃ−ｃ断面図である。
【００２０】
食器洗い機の本体１内部には洗浄槽２が設けられており、洗浄槽２の内部には、食器３などの被洗浄物をセットする食器かご４が洗浄槽２から出し入れ可能に収納されている。洗浄槽２の前面には開口部５が設けられており、扉体６により開閉され、扉体６を開くと食器３の出し入れおよび食器かごの出し入れができるよう構成されている。扉体６は、開口部５下端部で支持軸７により回動自在に軸支されており、扉体６が、開口部５の前下方にその内面が上向き略水平となる位置まで開成するよう構成されている。
【００２１】
洗浄槽２は樹脂で形成された洗浄槽下部２ａと、同じく樹脂で形成された洗浄槽上部２ｂとで構成されている。洗浄槽下部２ａには、その内部に回転自在に設けられた洗浄ノズル８と、洗浄ノズル８より前方に洗浄水を貯水する洗浄貯水部１０とが設けられ、外部には洗浄ノズル８へ洗浄水を供給する洗浄ポンプ９が設けられている。
【００２２】
洗浄槽上部２ｂは、食器３および食器かご４を収納する食器収納空間１１と、開口部５から洗浄槽上部２ｂ奥面まで連続して洗浄槽上部２ｂの左右両側壁に一体で食器かご支持部として形成された洗浄槽滑走部１２と、洗浄槽下部２ａとの結合部を構成し、且つ洗浄ノズル８が回転する空間となっている洗浄槽結合部１３とで構成されている。
【００２３】
なお、洗浄槽上部２ｂの左右の両側壁は、洗浄槽滑走部１２より下部を外側に膨出させて洗浄ノズル８の配置位置における洗浄槽２の相対する側壁間の幅（距離間隔）を洗浄槽滑走部１２の配置位置の洗浄槽２の相対する側壁間の幅（距離間隔）より大きくすることによって、洗浄槽結合部１３は食器かご４及び食器収納空間１１より平面形状が所定量大きく構成されている。
【００２４】
そして、この洗浄槽結合部１３内に、洗浄ノズル８が常時、もしくは一時的に、食器かご４の外枠よりも洗浄槽２の側壁側に存在するよう洗浄ノズル８を配設してある。すなわち、洗浄ノズル８の先端の回転軌跡の一部が食器かご４の外枠よりも上述した洗浄槽上部２ｂの下部の外側に膨出させた側壁側になるような構成としてある。
【００２５】
そして、このような構成と関連付けて、洗浄槽滑走部１２は、図４および図５（ｂ）に示すように、洗浄ノズル８からの洗浄水の噴射を避けるように、洗浄ノズル８の先端の回転軌跡と対応させて部分的に切り欠き部１２ｃを有する形状としてある。
【００２６】
洗浄槽滑走部１２は洗浄槽上部２ｂの側壁から内部へ向かって所定量下方へ傾斜している洗浄槽滑走部傾斜面１２ａと洗浄槽滑走部傾斜面１２ａの下端に上方に突出させて設けられた洗浄槽滑走部リブ１２ｂとで構成されている。また、洗浄槽滑走部リブ１２ｂは、図３に示すように、洗浄貯水部１０の上方においては連続して設けられており、それ以外の箇所では所定間隔を空けて数個に分割して設けられている。なお、切り欠き部１２ｃの部分には、洗浄槽滑走部リブ１２ｂは存在しない。
【００２７】
扉体６の内面には、その内面が上向き略水平となる開成状態で、左右の洗浄槽滑走部傾斜面１２ａと前後方向でそれぞれ略相対して連続する同一平面となるように高さおよび傾斜を設定して扉体滑走面１４が左右一対設けられている。
【００２８】
食器かご４の底面の両サイドには食器かご４の奥行き寸法と略同一長さでそり形状をしたかご滑走部材１５が設けられている。かご滑走部材１５の下面は洗浄槽滑走部傾斜面１２ａと略同一傾斜を有する平面となっている。また、このかご滑走部材１５の下面は食器かご４の底面とほぼ同一平面内に存在するように高さ位置を設定して、食器かご４の底面が洗浄槽滑走部１２とほぼ同一面に存在するように構成してある。
【００２９】
また、かご滑走部材１５の幅は、洗浄槽上部２ｂ側壁から洗浄槽滑走部リブ１２ｂまでの幅、すなわち洗浄槽滑走部傾斜面１２ａの上面の幅に対して所定量小さくなっており、扉体６開成状態で、洗浄槽２から扉体６内面への食器かご４のスムーズな出し入れを可能にしている。
【００３０】
また、扉体滑走面１４の前方先端には滑走ストッパー部１６が設けられており、食器かご４引出し時の扉体６からの脱落を防止している。なお、洗浄槽滑走部傾斜面１２ａは、図４および図５（ｂ）に示すように、洗浄ノズル８から食器かご４への洗浄水の噴射をなるべく妨げないように、且つ必要最低限のかご滑走部材１５の設置代を残すように中央部が洗浄ノズル８の回転軌跡に合わせてカットされた形状となっている。
【００３１】
以上のように構成された食器洗い機についてその動作、作用を説明する。食器３のセットは、扉体６を開放し、かご滑走部材１５が滑走ストッパー部１６と当接するまで食器かご４を引き出してから行う。食器３のセット完了後、食器かご４を食器収納空間１１に押し入れて、扉体６で開口部５を閉塞してから運転を開始する。
【００３２】
かご滑走部材１５下面と洗浄槽滑走部傾斜面１２ａと扉体滑走面１４は、略同一平面となっており、また洗浄槽上部２ｂ側壁から洗浄槽滑走部リブ１２ｂまでの幅すなわち洗浄槽滑走部傾斜面１２ａの上面の幅に対してかご滑走部材１５の幅を所定量小さくして、両者間にはクリアランスを有しているので、スムーズな食器かご４の出し入れ動作を実現できる。
【００３３】
また、かご滑走部材１５を食器かご４の底面の両サイドに設けているので、食器かご４の側壁の倒れ、ソリ、食器３の荷重を加えられたときの撓み等の影響に対して、従来例の
ような食器かご１０６側面に前部摺動部材１０７と後部摺動部材１０８を設けた場合と比べて、左右のかご滑走部材１５のピッチの変化が少なく、かご滑走部材１５と洗浄槽滑走部１２との位置関係が安定するので、よりスムーズで安定した食器かご４の滑走動作を実現できる。
【００３４】
さらに、食器かご４の変形等で左右のかご滑走部材１５のピッチが変化しても、洗浄槽滑走部リブ１２ｂがかご滑走部材１５の脱落ストッパーの役割を果たすので、洗浄槽上部２ｂ内から食器かご４が洗浄槽下部２ａへ脱落することない安全性の高い食器洗い機を実現している。
【００３５】
運転を開始すると、洗浄貯水部１０に水が供給され、事前に投入されている洗剤と混ざって洗浄水となる。洗浄水が所定量貯水されると、洗浄ポンプ９が駆動し、加圧された洗浄水が洗浄ノズル８から食器３に向けて噴射される。食器３に噴射された洗浄水は、洗浄貯水部１０に回収され再び洗浄ポンプ９により加圧されて洗浄ノズル８より食器３に噴射される。前述のように食器洗い機は洗浄水を循環して使用することで、手洗いに比べて少ない水量での洗浄を実現している。
【００３６】
循環を続けていくと洗浄水には食器３から落とした汚物が混ざってくる。従来例のように洗浄槽１０２内に凸部１０９のような略水平面があると、その上面に汚物が滞留してしまい、次工程のすすぎ工程で汚物が食器１０１に再付着する可能性がある。本発明の食器洗い機は、洗浄槽滑走部１２を傾斜面（洗浄槽滑走部傾斜面１２ａ）にしており、また、洗浄槽滑走部リブ１２ｂも所定の間隔を空けて分割して設けられているので、洗浄槽滑走部傾斜面１２ａに付着した汚物は滞留することなく下方に流れていき、所定の間隔を空けて分割して設けられた洗浄槽滑走部リブ１２ｂと洗浄槽滑走部リブ１２ｂの間から洗浄槽下部２ａに回収されるので、洗浄槽２内、とりわけ洗浄槽滑走部１２に汚物が溜まることがない。その結果、すすぎ工程で残留汚物を食器３に再付着させることがなく、洗浄性能を向上させることが可能となる。また、食器かご４の出し入れに際し、汚物が引っ掛かることがなく、スムーズに摺動させることができる。
【００３７】
洗浄槽滑走部１２を傾斜面にすることは、水平面にするのに比べて食器かご４が脱落しやすくなるが、上述のように洗浄槽滑走部リブ１２ｂにより食器かご４の脱落防止を実現しているので、高い洗浄性能と安全性を両立できる。
【００３８】
また、洗浄槽滑走部リブ１２ｂを洗浄貯水部１０の上方においては連続して設けているので、洗浄水が洗浄滑走部１２から洗浄貯水部１０へ滴下することを防止できるので、運転中の水の滴下音のない静音性に優れた食器洗い機を実現できる。
【００３９】
図１０に示すような従来の食器洗い機の場合、洗浄ノズル１１６の洗浄水噴射軌跡は図３及び図４中のｄのようになる。一方、本発明の食器洗い機は、洗浄槽上部２ｂの左右の両側壁は、洗浄槽滑走部１２より下部を外側に膨出させて洗浄ノズル８の配置位置における洗浄槽２の相対する側壁間の幅（距離間隔）を洗浄槽滑走部１２の配置位置の洗浄槽２の相対する側壁間の幅（距離間隔）より大きくすることによって、洗浄槽結合部１３の平面形状を食器かご４及び食器収納空間１１より大きく構成しているので、洗浄ノズル８の噴射軌跡を図３及び図４中のｅのように食器かご４のコーナー部近傍までカバーでき、さらに、洗浄槽滑走部傾斜面１２ａの中央部が洗浄ノズル８の回転軌跡に合わせてカットされた切り欠き部１２ｃを有する形状となっているので、食器かご４底面に幅広く洗浄水を噴射でき、従来の食器洗い機に比べて高い洗浄性能を実現できる。
【００４０】
なお、本実施の形態では、この切り欠き部１２ｃを左右両側の洗浄槽滑走部１２に設けているが、いずれか一方の洗浄槽滑走部１２にのみ設けた場合でも、設けた側においては
上記の高い洗浄性能を実現できる。
【００４１】
また、洗浄槽滑走部傾斜面１２ａは必要最低限のかご滑走部材１５の設置代を残しているので、食器かご４の出し入れ動作で洗浄槽下部２ａへ脱落することはない。
【００４２】
本発明は、洗浄槽滑走部１２を樹脂で形成しているので、その高さ寸法ｆ（図５参照）を、従来の板金の絞り加工で形成した場合の高さ寸法ｇ（図１１参照）に比べて小さくできる。また、洗浄ノズル８の噴射領域を広くするためには、洗浄槽滑走部１２は洗浄ノズル８より上方に構成する必要があるため、洗浄槽滑走部１２を樹脂で形成したほうが、食器かご４の位置を下げることが可能となる。その結果、食器収納空間１１を広くすることができるので、より使い勝手のよい食器洗い機を実現できる。
【００４３】
洗浄工程が終了すると、洗浄水を排水し、すすぎ工程を行う。すすぎ工程は洗浄工程と同様の原理ですすぎを行う。そして、このすすぎ工程の後に、最終工程として乾燥工程を行い、一連の動作を終了する。本発明の食器洗い機は、洗浄槽滑走部１２を傾斜面にしているので、すすぎ水の残留が少なく、従来の食器洗い機に比べて乾燥工程時に残留水を蒸発させるために使われるエネルギーが少なくてすむので、乾燥性能を向上させることが可能となる。
【産業上の利用可能性】
【００４４】
以上のように、本発明にかかる食器洗い機は、洗浄槽の食器かご支持部への洗浄水、洗い落とした汚物及びすすぎ水の残留を軽減することができるので、洗浄性能、乾燥性能および食器かごの操作性を向上することが可能であり、且つ、食器かごに大きな荷重が加えられても脱落することのない安全性の高い食器洗い機を提供できるものであり、また、食器洗い機に限らず洗浄用のかごを使用する洗浄機など各種機器に適用できる。
【図面の簡単な説明】
【００４５】
【図１】本発明の実施の形態１の食器洗い機の扉体開成時の斜視図
【図２】同食器洗い機の正面断面図
【図３】同食器洗い機の扉体開成時の平面断面図
【図４】図３におけるａ部の拡大図
【図５】（ａ）図４におけるｂ−ｂ断面図（ｂ）図４におけるｃ−ｃ断面図
【図６】従来の食器洗い機の食器かご収納時の側断面図
【図７】同食器洗い機の食器かご引出し時の側断面図
【図８】同食器洗い機の前部摺動部材の斜視図
【図９】同食器洗い機の後部摺動部材の斜視図
【図１０】従来の他の食器洗い機の洗浄槽滑走部の要部正面断面図
【図１１】従来のさらに他の食器洗い機の洗浄槽滑走部の要部正面断面図
【符号の説明】
【００４６】
２  洗浄槽
３  食器（被洗浄物）
４  食器かご
５  開口部
１２  洗浄槽滑走部（滑走部）
１２ａ  洗浄槽滑走部傾斜面（傾斜面）
１２ｂ  洗浄槽滑走部リブ（リブ）
１２ｃ  切り欠き部
【図１】
0004513880.tif 000002
【図２】
0004513880.tif 000003
【図３】
0004513880.tif 000004
【図４】
0004513880.tif 000005
【図５】
0004513880.tif 000006
【図６】
0004513880.tif 000007
【図７】
0004513880.tif 000008
【図８】
0004513880.tif 000009
【図９】
0004513880.tif 000010
【図１０】
0004513880.tif 000011
【図１１】
0004513880.tif 000012